(57)【要約】　　　（修正有）【課題】コストダウンを図ることができるとともに、構成部品が抜け落ちるのを確実に防止できるボールタップを提供する。【解決手段】貯水槽内に水Ｗを導出する水導出口と、弁座、弁体を有する本体と、フロートと、このフロートにより前記弁体を変位させるためのリンク機構とを備えたボールタップであって、前記リンク機構が、前記フロートの位置と弁体の変位量との相対的な関係を調整するための調整部１２を有し、この調整部１２が、外周面に雄ねじ部１４とつまみ部１５とを有する連結体１６と、前記雄ねじ部１４に螺合する雌ねじ部１８を有する第一保持体１９と、前記連結体１６が回動可能な状態で連結体１６の他端部１６ｂを保持する第二保持体２０とを備え、前記連結体１６から前記第一保持体１９が脱落するのを防止したり、第二保持体２０およびつまみ部１５が脱落するのを防止する脱落防止手段５０，５１を有する。【選択図】　　　　　図１１
2004144286.tif 000002
【特許請求の範囲】
【請求項１】
貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、外周面にその一端側から順に雄ねじ部とつまみ部とを有する連結体と、この連結体の前記雄ねじ部に螺合するナット体と、前記雄ねじ部に螺合する雌ねじ部を有する第一保持体と、前記連結体がその軸芯まわりに回動可能な状態で連結体の他端部を保持する第二保持体とを備えていることを特徴とするボールタップ。
【請求項２】
前記本体に一端部が軸支され、他端部に前記フロートが設けられたフロート支持体と、前記本体に一端部が軸支され、かつその回動が前記弁体の移動と連動するように構成された回動体と、一端部が前記フロート支持体に軸支され、他端部が前記回動体に軸支された前記調整部とを前記リンク機構が備えており、前記第一保持体および第二保持体のいずれか一方が前記フロート支持体に軸支され、他方が前記回動体に軸支されるようにしてある請求項１に記載のボールタップ。
【請求項３】
前記つまみ部が、前記連結体に設けられたピン穴に挿入されるピン体における前記ピン穴から外部に露出した部分によって形成されている請求項１または２に記載のボールタップ。
【請求項４】
貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、一端部に長孔を有し、他端部にボルト穴を有するとともに、互いに対向するように配置される２枚の板状体と、２枚の板状体の各長孔および２つの長孔の間に配置される第一筒状体を挿通する第一ボルト体と、この第一ボルト体に設けられた雄ねじ部に螺着する第一ナット体と、２枚の板状体の各ボルト穴および２つのボルト穴の間に配置された第二筒状体を挿通する第二ボルト体と、この第二ボルト体に設けられた雄ねじ部に螺着する第二ナット体とを備えていることを特徴とするボールタップ。
【請求項５】
前記長孔に、前記第一ボルト体を位置決めするための位置決め手段が設けられている請求項４に記載のボールタップ。
【請求項６】
貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、外周面にその一端側から順に雄ねじ部とつまみ部とを有する連結体と、この連結体の前記雄ねじ部に螺合するナット体と、前記雄ねじ部に螺合する雌ねじ部を有する第一保持体と、前記連結体がその軸芯まわりに回動可能な状態で連結体の他端部を保持する第二保持体とを備え、更に、前記雄ねじ部および雌ねじ部間の螺合が緩んだときに、前記連結体から前記第一保持体が脱落するのを防止したり、あるいは、前記第一保持体から前記連結体と共に前記ナット体、第二保持体およびつまみ部が脱落するのを防止する脱落防止手段を有することを特徴とするボールタップ。
【請求項７】
前記脱落防止手段は、連結体の一端部に設けた環状溝と、この環状溝に係止される固定具とよりなる請求項６に記載のボールタップ。
【請求項８】
前記固定具は、二股状の挟み部材またはＥリングである請求項７に記載のボールタップ。
【請求項９】
貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、外周面にその一端側から順に雄ねじ部と円柱部とを有する連結体と、前記雄ねじ部に螺合する雌ねじ部を有する第一保持体と、前記連結体の他端部を保持するとともに、前記連結体の前記円柱部が挿通可能に位置する挿通孔とこの挿通孔に連通するねじ孔を有する第二保持体と、前記連結体の前記円柱部に前記ねじ孔を介して当接する回り止め用のねじとを備え、更に、前記雄ねじ部および雌ねじ部間の螺合が緩んだときに、前記連結体から前記第一保持体が脱落するのを防止したり、あるいは、前記第一保持体から前記連結体と共に前記第二保持体および回り止め用のねじが脱落するのを防止する脱落防止手段を有することを特徴とするボールタップ。
【発明の詳細な説明】
【０００１】
【発明の属する技術分野】
本発明は、例えば、高層ビルの貯水タンク内などに設けられる圧力バランス構造のボールタップに関するものである。
【０００２】
【従来の技術】
従来のボールタップとして、図１７に示すように、貯水槽（図示せず）内に水を導出する水導出口２１を有するとともに、この水導出口２１まわりに設けられた弁座２２に対して近接・離間自在である弁体２３を有する本体２４と、前記貯水槽内の水に浮かぶフロート（図示せず）と、このフロートの位置に対応させて前記弁体２３を変位させるためのリンク機構２５とを備えたものがある。
【０００３】
そして、前記リンク機構２５は、前記フロートの位置と弁体２３の変位量との相対的な関係を調整するための調整部２６を有し、この調整部２６は、図１７および図１８に示すように、下端部に溝（図示せず）を有するリンク２７と、上部に雄ねじ部２８を有するリンク２９と、上部に溝（図示せず）を有し、前記雄ねじ部２８に螺着する調整ナット３０と、雄ねじ部２８が調整ナット３０から抜け落ちるのを防止するための抜け止めピン３１と、調整ナット３０の溝とリンク２７の溝を位置合わせすることにより形成されるリング状の空間内に収容された玉３２，３２…および前記調整ナット３０およびリンク２７の三者を固定するためのロックビス３３とより構成されていた。
【０００４】
【発明が解決しようとする課題】
しかし、上記の構成からなる従来のボールタップでは、前記調整部２６に多くの部品が必要であったことから、コストが上昇することとなっていた。
また、ロックビス３３が緩むと玉３２，３２…が抜け落ちてリンク２７が脱落するおそれがあった。
【０００５】
本発明は上述の事柄に留意してなされたもので、その目的は、コストダウンを図ることができるとともに、構成部品が抜け落ちるのを確実に防止できるボールタップを提供することである。
【０００６】
【課題を解決するための手段】
上記目的を達成するために、本発明のボールタップは、貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、外周面にその一端側から順に雄ねじ部とつまみ部とを有する連結体と、この連結体の前記雄ねじ部に螺合するナット体と、前記雄ねじ部に螺合する雌ねじ部を有する第一保持体と、前記連結体がその軸芯まわりに回動可能な状態で連結体の他端部を保持する第二保持体とを備えている（請求項１）。
【０００７】
また、前記本体に一端部が軸支され、他端部に前記フロートが設けられたフロート支持体と、前記本体に一端部が軸支され、かつその回動が前記弁体の移動と連動するように構成された回動体と、一端部が前記フロート支持体に軸支され、他端部が前記回動体に軸支された前記調整部とを前記リンク機構が備えており、前記第一保持体および第二保持体のいずれか一方が前記フロート支持体に軸支され、他方が前記回動体に軸支されるようにしてあるとしてもよい（請求項２）。
【０００８】
さらに、前記つまみ部が、前記連結体に設けられたピン穴に挿入されるピン体における前記ピン穴から外部に露出した部分によって形成されているとしてもよい（請求項３）。
【０００９】
また、貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、一端部に長孔を有し、他端部にボルト穴を有するとともに、互いに対向するように配置される２枚の板状体と、２枚の板状体の各長孔および２つの長孔の間に配置される第一筒状体を挿通する第一ボルト体と、この第一ボルト体に設けられた雄ねじ部に螺着する第一ナット体と、２枚の板状体の各ボルト穴および２つのボルト穴の間に配置された第二筒状体を挿通する第二ボルト体と、この第二ボルト体に設けられた雄ねじ部に螺着する第二ナット体とを備えているとしてもよい（請求項４）。
【００１０】
また、前記長孔に、前記第一ボルト体を位置決めするための位置決め手段が設けられているとしてもよい（請求項５）。
【００１１】
上記の構成からなる本発明では、コストダウンを図ることができるボールタップを提供することが可能となる。
【００１２】
また、本発明は別の観点から、貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、外周面にその一端側から順に雄ねじ部とつまみ部とを有する連結体と、この連結体の前記雄ねじ部に螺合するナット体と、前記雄ねじ部に螺合する雌ねじ部を有する第一保持体と、前記連結体がその軸芯まわりに回動可能な状態で連結体の他端部を保持する第二保持体とを備え、更に、前記雄ねじ部および雌ねじ部間の螺合が緩んだときに、前記連結体から前記第一保持体が脱落するのを防止したり、あるいは、前記第一保持体から前記連結体と共に前記ナット体、第二保持体およびつまみ部が脱落するのを防止する脱落防止手段を有することを特徴とするボールタップを提供する（請求項６）。
【００１３】
また、本発明は更に別の観点から、貯水槽内に水を導出する水導出口を有するとともに、この水導出口まわりに設けられた弁座に対して近接・離間自在である弁体を有する本体と、前記貯水槽内の水に浮かぶフロートと、このフロートの位置に対応させて前記弁体を変位させるためのリンク機構とを備えたボールタップであって、前記リンク機構が、前記フロートの位置と弁体の変位量との相対的な関係を調整するための調整部を有し、この調整部が、外周面にその一端側から順に雄ねじ部と円柱部とを有する連結体と、前記雄ねじ部に螺合する雌ねじ部を有する第一保持体と、前記連結体の他端部を保持するとともに、前記連結体の前記円柱部が挿通可能に位置する挿通孔とこの挿通孔に連通するねじ孔を有する第二保持体と、前記連結体の前記円柱部に前記ねじ孔を介して当接する回り止め用のねじとを備え、更に、前記雄ねじ部および雌ねじ部間の螺合が緩んだときに、前記連結体から前記第一保持体が脱落するのを防止したり、あるいは、前記第一保持体から前記連結体と共に前記第二保持体および回り止め用のねじが脱落するのを防止する脱落防止手段を有することを特徴とするボールタップを提供する（請求項９）。
【００１４】
【発明の実施の形態】
以下、本発明の実施の形態を図面に基づいて説明する。
図１は、本発明の第一実施例に係るボールタップＤの構成を概略的に示す説明図、図２は、前記ボールタップＤの要部の構成を概略的に示す説明図である。
ボールタップＤは、貯水槽１内に水Ｗを導出する水導出口２を有するとともに、この水導出口２まわりに設けられた弁座３に対して近接・離間自在である弁体４を有する本体５と、前記貯水槽１内の水Ｗに浮かぶフロート６と、このフロート６の位置に対応させて前記弁体４を変位させるためのリンク機構７とを備えている。前記貯水槽１は、例えば、高層ビルの屋上などに設けられる貯水タンクや、水洗トイレ等の貯水槽である。
【００１５】
前記弁体４は、前記弁座３に対してその下方側において進退、すなわち弁座３に対して近接・離間するように構成されている。
前記本体５は、上方開口５ａおよび下方開口５ｂを有し、前記弁座３が内部に設けられたほぼ円筒状の弁箱部５Ａと、前記上方開口５ａを覆うカバー体５Ｂと、前記弁箱部５Ａの上部から側方に向けて設けられた筒状で外周面に雄ねじ部８ａを有する水導入部８とを備えている。
【００１６】
前記弁箱部５Ａは、前記弁体４と対向するよう上方開口５ａ側に配設されたバランス弁５ｃおよび前記弁体４がそれぞれ取り付けられた弁棒１３を内蔵している。そして、この弁棒１３の下端部には、貫通孔１３ａが設けられている。
【００１７】
前記水導入部８には、給水管（図示せず）が接続され、また、水導入部８の内部が前記弁箱部５Ａの内部と連通するように構成されている。さらに、前記水導入部８は、前記貯水槽１の側壁１ａ上部を挿通した状態で、前記雄ねじ部８ａにナット９が螺着され、これにより、前記本体５が貯水槽１に取り付けられることとなる。
【００１８】
前記フロート６は、前記貯水槽１内にはられる水Ｗの液面に浮かぶ浮子として設けられたボール状の部材である。
【００１９】
前記リンク機構７は、前記本体５に一端部１０ａが軸支され、他端部１０ｂに前記フロート６が設けられたフロート支持体１０と、前記本体５に一端部１１ａが軸支され、かつその回動が前記弁体４の移動と連動するように構成された回動体１１と、一端部１２ａが前記フロート支持体１０に軸支され、他端部１２ｂが前記回動体１１に軸支された前記調整部１２とを備えている。
【００２０】
前記回動体１１は、前記弁棒１３の貫通孔１３ａを挿通するように構成されており、また、前記貫通孔１３ａを形成する内壁部分に当接する突出部分１１ｂを有している。
【００２１】
図３（Ａ）および（Ｂ）は、前記調整部１２の構成を概略的に示す正面図および縦断面図である。
前記調整部１２は、前記フロート６の位置と弁体４の変位量（前記弁座３からの距離）との相対的な関係を調整することにより、前記水Ｗの水位を調整するためのものであり、外周面にその一端側から順に雄ねじ部１４とつまみ部１５とを有する連結体１６と、この連結体１６の前記雄ねじ部１４に螺合するナット体１７と、前記雄ねじ部１４に螺合する雌ねじ部１８を有する第一保持体１９と、前記連結体１６がその軸芯まわりに回動可能な状態で連結体１６の他端部を保持する第二保持体２０とを備えている。なお、第一保持体１９は頂部Ｂの中央に平面視円形の溝Ｍを有し、この溝Ｍの内周面に前記雌ねじ部１８が形成されている。
【００２２】
前記つまみ部１５は、連結体１６の他の部分よりも径を大きくした大径部として他の部分と一体に形成されている。
【００２３】
前記連結体１６の他端部１６ａは、径が小さくなっているとともに、その外周に溝を有しており、この溝に係止部材としてのＥリング１６ｂが嵌め込まれる。
【００２４】
前記第二保持体２０は、縦断面ほぼＵ字形状（逆門型形状）をしており、前記連結体１６の他端部１６ａにより挿通される挿通孔２０ａを有している。そして、前記連結体１６の他端部１６ａを挿通孔２０ａにその下方から挿通させた後、前記他端部１６ａにＥリング１６ｂを嵌め込むことにより、前記連結体１６の他端部１６ａが挿通孔２０ａから抜けず、かつ連結体１６がその軸心まわりに回動可能な状態となる。
【００２５】
そして、前記リンク機構７では、前記第一保持体１９および第二保持体２０のいずれか一方が前記フロート支持体１０に軸支され、他方が前記回動体１１に軸支されるように構成してある。なお、本実施例では、前記第一保持体１９が前記フロート支持体１０に軸支され、第二保持体２０が前記回動体１１に軸支されるように構成してある。
【００２６】
上記の構成からなるボールタップＤでは、貯水槽１内の水Ｗの水位（液面）が下がると、フロート６が下方に動き、その動きがフロート支持体１０，調整部１２，回動体１１に伝わり、前記弁体４が下方へと動くことになる。そして、前記水位が一定以下となると、前記弁体４が弁座３から離れ、水導出口２から貯水槽１内へと水が導出される給水状態となる。また、反対に、貯水槽１内の水Ｗの水位（液面）が上がると、フロート６が上方に動き、その動きがフロート支持体１０，調整部１２，回動体１１に伝わり、前記弁体４が上方へと動くことになる。
そして、前記水位が一定以上となると、前記弁体４が弁座３に当接し、水導出口２から貯水槽１内への水の導出が停止する停止状態となる。
【００２７】
次に、前記水Ｗの水位を調整する操作について説明する。
水位の調整は、調整部１２の長さを調節することで行われる。すなわち、水位を上げたい場合には、調整部１２を長くすればよく、水位を下げたい場合には、調整部１２を短くすればよい。
【００２８】
そして、前記調整部１２を長くするには、前記ナット体１７を前記第一保持体１９から離した状態（前記ナット体１７を緩めた状態）で、前記つまみ部１５を一方へ回動操作して、前記第一保持体１９をつまみ部１５から離れる方向へと移動させた後、前記ナット体１７を前記第一保持体１９に当接させた状態（前記ナット体１７を締めた状態）とするだけでよい。
【００２９】
また、前記調整部１２を短くするには、前記ナット体１７を前記第一保持体１９から離した状態（前記ナット体１７を緩めた状態）で、前記つまみ部１５を他方へ回動操作して、前記第一保持体１９をつまみ部１５に近づける方向へと移動させた後、前記ナット体１７を前記第一保持体１９に当接させた状態（前記ナット体１７を締めた状態）とするだけでよい。
【００３０】
上記の構成からなるボールタップＤでは、従来のボールタップに比して、前記調整部１２に用いる部品が少なくなるとともに組み立てが簡単になることから、コストダウンを図ることができ、また、組み立て作業の効率を上昇させることが可能となる。
【００３１】
なお、上記実施例では、前記連結体１６のつまみ部１５を、連結体１６の他の部分よりも径を大きくした大径部として形成しているが、このような構成に限るものではなく、例えば、図４および図５に示す本発明の第二実施例のように、前記連結体１６にピン穴３４を設け、前記連結体１６に設けられた前記ピン穴３４に挿入されるピン体３５における前記ピン穴３４から外部に露出した部分によって、前記つまみ部１５に相当するつまみ部１５’を形成してもよい。なお、前記第一保持体１９は、第二保持体２０とほぼ対称な縦断面ほぼ逆Ｕ字形状（門型形状）をしており、第一保持体１９の頂部Ｂの中央を上下方向に貫通する形で、前記雄ねじ部１４に螺合する雌ねじ部１８を有する。
【００３２】
前記ピン体３５は、一本のピン状の部材を適宜に折り曲げた形状をしており、詳しくは、前記ピン穴３４に挿入される直線状の挿入部分３５ａと、この挿入部分３５ａに連設されたほぼ円形状の折り返し部分３５ｂと、この折り返し部分３５ｂに連設され、前記連結体１６の外周に沿うように形成された円弧状部分３５ｃと、この円弧状部分３５ｃに連設され、前記挿入部分３５ａから離れる方向に曲がった曲がり部分３５ｄとを有している。
【００３３】
上記の構成からなるつまみ部１５’を設けた場合には、前記連結体１６の他端部１６ａを他の部分および前記挿通孔２０ａよりも径の大きい大径部とし、前記第二保持体２０に形成された挿通孔２０ａに対してその上方から連結体１６の他端部１６ａ以外の部分を挿通した後、前記ピン穴３４にピン体３５の挿入部分３５ａを挿入するだけで、前記連結体１６が第二保持体２０から抜けない状態となり、前記つまみ部１５を設けていた場合と同様に、第二保持体２０が前記連結体１６の他端部１６ａを、連結体１６の軸芯まわりの回動が可能な状態で保持することとなる。
【００３４】
また、上記のように、前記つまみ部１５に代えてつまみ部１５’を設け、前記連結体１６の他端部１６ａを他の部分および前記挿通孔２０ａよりも径の大きい大径部とした場合には、前記係止部材としてのＥリング１６ｂの役割を他端部１６ａが果たすこととなるため、前記Ｅリング１６ｂを設けなくともよい。もちろん、前記他端部１６ａを他の部分と同じ径に形成し、前記係止部材としてのＥリング１６ｂを設けるようにしてもよい。
【００３５】
図６（Ａ）および（Ｂ）、ならびに、図７（Ａ）および（Ｂ）は、本発明の第三実施例を示す。すなわち、図６（Ａ）および（Ｂ）は、前記ボールタップＤに用いていた調整部１２の変形例に係る調整部３６の構成を概略的に示す正面図および縦断面図、図７（Ａ）および（Ｂ）は、前記調整部３６の板状体３７の構成を概略的に示す正面図および縦断面図である。
上記調整部１２に代えて、以下の構成を有する調整部３６を用いるようにしてもよい。すなわち、前記調整部３６は、一端部に位置調整部としての長孔３８を有し、他端部にボルト穴３９を有するとともに、互いに対向するように配置される２枚の板状体３７，３７と、２枚の板状体３７，３７の各長孔３８および２つの長孔３８，３８の間に配置される第一筒状体４０を挿通する第一ボルト体４１と、この第一ボルト体４１の先端に設けられた雄ねじ部（図示せず）に螺着する第一ナット体４２と、２枚の板状体３７，３７の各ボルト穴３９および２つのボルト穴３９，３９の間に配置された第二筒状体４３を挿通する第二ボルト体４４と、この第二ボルト体４４の先端に設けられた雄ねじ部（図示せず）に螺着する第二ナット体４５とを備えている。
【００３６】
前記長孔３８には、前記第一ボルト体４０を位置決めするための位置決め手段としての２つの突出部３８ａ，３８ａが設けられている。各突出部３８ａは、長孔３８を形成する側壁の一方側から他方側へと向かってのびており、長孔３８を形成する側壁および前記２つの突出部３８ａ，３８ａによって、図７（Ａ）に示すように、長孔３８の一方側（図では、右側）が板状体３７の長さ方向（調整部３６の長さ方向）に並ぶ３つの半円形状のスペース４６ａ，４６ｂ，４６ｃに区画されている。
【００３７】
上記の構成からなる調整部３６では、前記第一筒状体４０が前記フロート支持体１０に設けられた貫通孔（図示せず）を貫通する状態とすることにより、フロート支持体１０に調整部３６の一端部が軸支されることとなり、前記第二筒状体４３が前記回動体１１の他端部に設けられた貫通孔（図示せず）を貫通する状態とすることにより、回動体１１に調整部３６の他端部が軸支されることとなる。
【００３８】
そして、上記の構成からなる調整部３６では、前記第一筒状体４０を挿通する第一ボルト体４１と、この第一ボルト体４１に設けられた雄ねじ部に螺着する第一ナット体４２とを、前記スペース４６ａ，４６ｂ，４６ｃの３つの位置のいずれかで固定するのであり、固定する位置を変えることによって、前記調整部１２の長さ調節を行ったときと同様の効果を得ることが可能となる。
【００３９】
なお、前記突出部３８ａの数は２つに限るものではなく、１つでもよいし、３つ以上であってもよいのであり、突出部３８ａの数に応じて、前記スペース４６ａ，４６ｂ，４６ｃの数が決定される。また、前記突出部３８ａを有する長孔３８とは異なる構成からなる位置調整部を設けてもよい。例えば、前記第一ボルト体４１を挿通させることができる複数の孔（図示せず）を各板状体３７の一端部に設けるようにしてもよい。
【００４０】
図８〜図１２は、第二保持体２０がフロート支持体１０に軸支され、第一保持体１９が回動体１１に軸支されるように構成してあり、連結体１６の雄ねじ部１４および第一保持体１９の雌ねじ部１８間の螺合が緩んだときに、連結体１６から第一保持体１９が脱落するのを防止する脱落防止手段を有する調整部１２を備えた本発明の第四実施例を示す。
【００４１】
まず、図８、図９において、ボールタップＤは、貯水槽１内に水Ｗを導出する水導出口２を有するとともに、この水導出口２まわりに設けられた弁座３に対して近接・離間自在である弁体４を有する本体５と、貯水槽１内の水Ｗに浮かぶフロート６と、このフロート６の位置に対応させて弁体４を変位させるためのリンク機構７とを備えている。貯水槽１は、例えば、高層ビルの屋上などに設けられる貯水タンクや、水洗トイレ等の貯水槽である。
【００４２】
前記弁体４は、前記弁座３に対してその下方側において進退、すなわち弁座３に対して近接・離間するように構成されている。
【００４３】
前記本体５は、上方開口５ａおよび下方開口５ｂを有し、前記弁座３が内部に設けられたほぼ円筒状の弁箱部５Ａと、前記上方開口５ａを覆うカバー体５Ｂと、前記弁箱部５Ａの上部から側方に向けて設けられた筒状で外周面に雄ねじ部８ａを有する水導入部８とを備えている。
【００４４】
前記弁箱部５Ａは、前記弁体４と対向するよう上方開口５ａ側に配設されたバランス弁５ｃおよび前記弁体４がそれぞれ取り付けられた弁棒１３を内蔵している。そして、この弁棒１３の下端部には、貫通孔１３ａが設けられている。
【００４５】
前記水導入部８には、給水管（図示せず）が接続され、また、水導入部８の内部が前記弁箱部５Ａの内部と連通するように構成されている。さらに、前記水導入部８は、前記貯水槽１の側壁１ａ上部を挿通した状態で、前記雄ねじ部８ａにナット９が螺着され、これにより、前記本体５が貯水槽１に取り付けられることとなる。
【００４６】
前記フロート６は、前記貯水槽１内にはられる水Ｗの液面に浮かぶ浮子として設けられたボール状の部材である。
【００４７】
前記リンク機構７は、前記本体５に一端部１０ａが軸支され、他端部１０ｂに前記フロート６が設けられたフロート支持体１０と、前記本体５に一端部１１ａが軸支され、かつその回動が前記弁体４の移動と連動するように構成された回動体１１と、一端部１２ａが前記フロート支持体１０に軸支され、他端部１２ｂが前記回動体１１に軸支された調整部１２とを備えている。
【００４８】
前記回動体１１は、前記弁棒１３の貫通孔１３ａを挿通するように構成されており、また、前記貫通孔１３ａを形成する内壁部分に当接する突出部分１１ｂを有している。
【００４９】
以下、特徴的構成について説明する。
【００５０】
前記調整部１２は、前記フロート６の位置と弁体４の変位量（前記弁座３からの距離）との相対的な関係を調整することにより、前記水Ｗの水位を調整するためのものであり、外周面にその一端Ｍ側から順に雄ねじ部１４とつまみ部１５とを有する連結体１６と、この連結体１６の前記雄ねじ部１４に螺合するナット体１７と、前記雄ねじ部１４に螺合する雌ねじ部１８を有する第一保持体１９と、前記連結体１６がその軸芯まわりに回動可能な状態で連結体１６の他端部１６ｂを保持する第二保持体２０とを備えている。
この第二保持体２０は、縦断面ほぼＵ字形状（逆門型形状）をしており、前記連結体１６の一端部１６ａにより挿通される挿通孔２０ａを底部Ａに有するとともに、リンク機構７の前記一端部１２ａが回動可能に挿通保持される挿通孔Ｈを一対の上向き脚部Ｃ，Ｃの上部で同じ高さ位置に対向させて有する。また、連結体１６は、筒状の細長い棒体で、外周面に形成された前記雄ねじ部１４を有するとともに、連結体１６の他端部１６ｂを他の部分および前記挿通孔２０ａよりも径の大きい大径部に形成してある。そして、前記連結体１６の一端部１６ａを挿通孔２０ａにその上方から挿通させた後には、連結体１６の他端部１６ｂが挿通孔２０ａから抜けず、かつ連結体１６がその軸心まわりに回動可能な状態となる。
一方、前記第一保持体１９は、第二保持体２０とほぼ対称な縦断面ほぼ逆Ｕ字形状（門型形状）をしており、頂部Ｂの中央を上下方向に貫通する形で、前記雄ねじ部１４に螺合する雌ねじ部１８を有するとともに、リンク機構７の前記他端部１２ｂが回動可能に挿通保持される挿通孔ｈを一対の下向き脚部Ｄ，Ｄの下部で同じ高さ位置に対向させて有する。
また、つまみ部１５は、例えばナット体１７と同形のナット体１５’’を雄ねじ部１４における連結体１６の他端部１６ｂの側の終点部分で螺合させるとともに、接着剤にてナット体１５’’を終点部分に固着させてなる。すなわち、雄ねじ部１４の終点部分に予め接着剤Ｓを塗布しておき、ナット体１５’’を連結体１６の他端部１６ｂから前記終点部分まで螺合させていくだけで容易につまみ部１５を連結体１６上に設けることができるものであり、例えば図３に示すつまみ部１５のように、連結体１６の他の部分よりも径を大きくした大径部として形成する必要はなくなるとともに、図４に示すつまみ部１５’のように、ピン穴３４を形成した後ピン体３５を挿入するといった手間も省けるという利点を有する。
【００５１】
更に、前記調整部１２は、前記雄ねじ部１４および雌ねじ部１８間の螺合が緩んだときに、前記連結体１６から前記第一保持体１９が脱落するのを防止する脱落防止手段を有している。
【００５２】
すなわち、図１０〜図１２において、５０は、連結体１６の雄ねじ部１４の所定領域の全周を切欠いて形成した環状の溝で、前記一端部１６ａの直上に位置する。５１は、前記環状溝５０に係止される固定具で、この実施例では二股状の挟み部材を採用している。この二股状の挟み部材５１は、弾性部材で形成されている。
【００５３】
そして、連結体１６の一端部１６ａを挿通孔２０ａにその上方から挿通させた状態で、雄ねじ部１４における前記終点部分に、ナット体１５’’を接着剤Ｓにて固着させたつまみ部１５を設け、更に、連結体１６の一端部１６ａからナット体１７を所定位置まで螺合させた後、環状溝５０が第一保持体１９の脚Ｄ，Ｄ間に位置するまで、雄ねじ部１４を一端部１６ａ側から第一保持体１９の雌ねじ部１８に螺合させていく。その後、固定具５１を環状溝５０に係止させる。
【００５４】
固定具としての前記二股状の挟み部材５１は、一本の棒部材を適宜に折り曲げた左右対称の形状をしており、平面視ほぼＵ字型形状の折り返し部分５２と、この折り返し部分５２に連設され、前記環状溝５０の周面５０ａに当接する円弧状内周面５３ａを有する左右一対の円弧状部分５３と、各円弧状部分５３から外向きの方向に連設され、入口開口５５を形成する一対の開口端部分５６とより構成される。
【００５５】
而して、前記水Ｗの水位の調整は、調整部１２の長さを調節することで行われる。すなわち、水位を上げたい場合には、調整部１２を長くすればよく、水位を下げたい場合には、調整部１２を短くすればよい。
【００５６】
そして、前記調整部１２を長くするには、前記ナット体１７を第一保持体１９から離した状態（ナット体１７を緩めた状態）で、つまみ部１５を一方へ回動操作して、第一保持体１９をつまみ部１５から離れる方向へと移動させた後、ナット体１７を第一保持体１９に当接させた状態（ナット体１７を締めた状態）とするだけでよい。
【００５７】
また、前記調整部１２を短くするには、ナット体１７を第一保持体１９から離した状態（ナット体１７を緩めた状態）で、つまみ部１５を他方へ回動操作して、第一保持体１９をつまみ部１５に近づける方向へと移動させた後、ナット体１７を第一保持体１９に当接させた状態（ナット体１７を締めた状態）とするだけでよい。
【００５８】
ところで、例えば図１１において、雄ねじ部１４および雌ねじ部１８間の螺合が緩んで第一保持体１９が雄ねじ部１４を介して連結体１６を下降するような事態になっても、一端部１６ａの直上に二股状の挟み部材５１が位置しており、第一保持体１９の頂部Ｂに、環状溝５０を介して連結体１６に係止されている前記挟み部材５１が保持されることから、前記連結体１６から前記第一保持体１９が脱落するのを確実に防止できる。
【００５９】
なお、第一保持体１９がフロート支持体１０に軸支され、第二保持体２０が回動体１１に軸支されるように構成してある場合、雄ねじ部１４および雌ねじ部１８間の螺合が緩んで、連結体１６と共にナット体１７、第二保持体２０およびつまみ部１５が第一保持体１９から脱落するような事態になっても、第一保持体１９の頂部Ｂに前記挟み部材５１が保持されることから、連結体１６と共にナット体１７、第二保持体２０およびつまみ部１５が第一保持体１９から脱落するのを確実に防止できる。
【００６０】
なお、環状溝５０に前記挟み部材５１を係止して脱落防止手段を構成する代わりに、連結体１６の雄ねじ部１４の所定領域の全周を切欠いて形成した環状溝に係止部材としてのＥリングを嵌め込むように脱落防止手段を構成してもよい。
【００６１】
図１３、図１４は、連結体１６の雄ねじ部１４の所定領域を両面カットして一対のカット面部６０を形成し、これらカット面部６０と残りのカットされなかった一対の雄ねじ部分６１とでつまみ部１５を構成してある本発明の第五実施例を示す。なお、図１３、図１４において、図８〜図１２に示した符号と同一のものは同一または相当物である。
【００６２】
この場合も、例えば図３に示すつまみ部１５のように、連結体１６の他の部分よりも径を大きくした大径部として形成する必要はなくなるとともに、図４に示すつまみ部１５’のように、ピン穴３４を形成した後ピン体３５を挿入するといった手間も省けるという利点を有する。
【００６３】
図１５は、連結体１６の雄ねじ部１４と連結体１６の他端部側に位置する頭部９９との間の領域Ｒに円柱部１４’を設け、脱落防止手段を、雄ねじ部１４の所定領域の全周を切欠いて形成した環状溝５０’に係止部材としてのＥリング１００を嵌め込むように構成し、更に、第二保持体２０を、縦断面ほぼＬ字形状に形成し、連結体１６の一端部１６ａにより挿通される挿通孔２０ａを第二保持体２０の底部Ａに形成する一方、第一保持体１９の頂部Ｂが前記底部Ａに対向するよう、第一保持体１９を、第二保持体２０とほぼ対称な縦断面ほぼＬ字形状に形成し、第一保持体１９の頂部Ｂの中央を上下方向に貫通する形で、前記雄ねじ部１４に螺合する雌ねじ部１８を頂部Ｂに形成し、また、連結体１６が挿通孔２０ａに挿通されて雄ねじ部１４と雌ねじ部１８が螺合しているときに連結体１６の回動を阻止する回り止め手段を設けてある本発明の第六実施例を示す。なお、図１５において、図１〜図１４に示した符号と同一のものは同一または相当物である。
【００６４】
図１５において、第二保持体２０は、縦断面ほぼＬ字形状をなし、平面視舌片状の底部Ａと、この底部Ａの背面部分Ａ’から上向きに立設された一つの脚部Ｃ’とよりなる。この脚部Ｃ’は、図９に示すリンク機構７の例えば前記一端部１２ａが回動可能に挿通保持される一つの挿通孔Ｈ’を有する。また、前記底部Ａは、連結体１６の一端部１６ａにより挿通される挿通孔２０ａを上下に貫通する形で中央に有する。更に、前記底部Ａにおける前面部分Ａ’’の背面部分側には、挿通孔２０ａに連通する雌ねじが形成されたねじ孔１０１が穿設されている。
１０２は、ねじ孔１０１に螺合する連結体回り止め用のねじである。
【００６５】
また、第一保持体１９は、第二保持体２０とほぼ対称な上下が逆さまの縦断面ほぼＬ字形状をなし、前記底部Ａと対向配置される平面視舌片状の頂部Ｂと、この頂部Ｂの背面部分Ｂ’から下向きに立設された一つの脚部Ｄ’とよりなる。この脚部Ｄ’は、図９に示すリンク機構７の例えば前記他端部１２ｂが回動可能に挿通保持される一つの挿通孔ｈ’を有する。
【００６６】
また、連結体１６は、頭部９９ａと軸部９９ｂよりなり、頭部９９ａは連結体１６の他端部１６ｂ側に位置する一方、軸部９９ｂには、他端部１６ｂ側から一端部（先端部）１６ａ側に向かって順次、第１の円柱部分１４ａ’、環状溝１０３、第２の円柱部分１４ｂ’および雄ねじ部１４が形成されている。そして、前記第１の円柱部分１４ａ’と第２の円柱部分１４ｂ’とから前記円柱部１４’が構成される。前記頭部９９ａの表面には、前記調整部１２の長さ調整に使用されるドライバー等の工具の先端が差し込まれる十字溝１１０が形成されている。前記第１の円柱部分１４ａ’の軸方向の長さは、挿通孔２０ａの挿通長さに略一致させてあり、挿通孔２０ａ内に第１の円柱部分１４ａ’が位置した状態で前記連結体回り止め用のねじ１０２の先端が第１の円柱部分１４ａ’の胴を押圧することにより、連結体１６が軸回りに回動するのを防止する。また、前記頭部９９ａは挿通孔２０ａを挿通不能な大きさに形成されている。更に、雄ねじ部１４の一端部１６ａの直上に雄ねじ部１４の所定領域の全周を切欠いて形成した環状溝５０’が形成されている。この環状溝５０’に係止部材としてのＥリング１００が嵌め込まれ、前記調整部１２の調整時において第一保持体１９が脱落するのを防止する脱落防止手段が構成される。
【００６７】
１０５は、首部９９ｂを挿通孔２０ａを挿通させたときに前記底部Ａの下面側から前記底部Ａに当接するＥリングで、環状溝１０３に嵌め込まれる。
【００６８】
そして、前記調整部１２を長くするには、前記連結体回り止め用のねじ１０２を連結体１６の第１の円柱部分１４ａ’から離した状態（前記連結体回り止め用のねじ１０２を緩めた状態）で、かつ、環状溝５０’にＥリング１００が嵌め込まれた状態で、工具の先端を十字溝１１０に差し込んで連結体１６を一方へ回動操作し、第一保持体１９をＥリング１０５から離れる方向へと移動させた後、前記連結体回り止め用のねじ１０２を第１の円柱部分１４ａ’に当接させた状態（前記連結体回り止め用のねじ１０２を締めた状態）とするだけでよい。
【００６９】
また、前記調整部１２を短くするには、前記連結体回り止め用のねじ１０２を連結体１６の第１の円柱部分１４ａ’から離した状態（前記連結体回り止め用のねじ１０２を緩めた状態）で、かつ、環状溝５０’にＥリング１００が嵌め込まれた状態で、工具の先端を十字溝１１０に差し込んで連結体１６を他方へ回動操作して、第一保持体１９をＥリング１０５に近づける方向へと移動させた後、前記連結体回り止め用のねじ１０２を第１の円柱部分１４ａ’に当接させた状態（前記連結体回り止め用のねじ１０２を締めた状態）とするだけでよい。
【００７０】
図１６は、上記第六実施例の変形例を示し、第一保持体１９がフロート支持体１０に軸支され、第二保持体２０が回動体１１に軸支されるように構成してある。なお、図１６において、図１〜図１５に示した符号と同一のものは同一または相当物である。
【００７１】
この実施例では、連結体回り止め用のねじ１０２の、挿通孔２０ａに連通するねじ孔１０１を　第二保持体２０の底部Ａの背面部分Ａ’に形成してある。
【００７２】
【発明の効果】
以上説明したように本発明によれば、コストダウンを図ることができるとともに、構成部品が抜け落ちるのを確実に防止できるボールタップを提供することが可能となる。
【図面の簡単な説明】
【図１】本発明の第一実施例に係るボールタップの構成を概略的に示す説明図である。
【図２】上記実施例の要部の構成を概略的に示す説明図である。
【図３】（Ａ）および（Ｂ）は、上記実施例における調整部の構成を概略的に示す正面図および縦断面図である。
【図４】（Ａ）および（Ｂ）は、本発明の第二実施例におけるつまみ部の変形例の構成を概略的に示す縦断面図および正面図である。
【図５】上記第二実施例におけるつまみ部の構成を概略的に示す平面図である。
【図６】（Ａ）および（Ｂ）は、本発明の第三実施例における調整部の変形例の構成を概略的に示す正面図および縦断面図である。
【図７】（Ａ）および（Ｂ）は、上記第三実施例における調整部における板状体の構成を概略的に示す正面図および縦断面図である。
【図８】本発明の第四実施例に係るボールタップの構成を概略的に示す説明図である。
【図９】上記第四実施例の要部の構成を概略的に示す説明図である。
【図１０】上記第四実施例を示す要部分解斜視図である。
【図１１】上記第四実施例における調整部の構成を概略的に示す縦断面図である。
【図１２】上記第四実施例における調整部の構成を概略的に示す正面図である。
【図１３】上記第五実施例における調整部の構成を概略的に示す縦断面図である。
【図１４】上記第五実施例における調整部の構成を概略的に示す正面図である。
【図１５】本発明の第六実施例に係るボールタップを示す要部分解斜視図である。
【図１６】上記第六実施例の変形例を概略的に示す説明図である。
【図１７】従来のボールタップの構成を概略的に示す説明図である。
【図１８】上記従来のボールタップにおける調整部の構成を概略的に示す説明図である。
【符号の説明】
１…貯水槽、２…水導出口、３…弁座、４…弁体、５…本体、６…フロート、７…リンク機構、１２…調整部、１４…雄ねじ部、１５…つまみ部、１６…連結体、１７…ナット体、１８…雌ねじ部、１９…第一保持体、２０…第二保持体、５０…環状溝、５１…固定具、Ｄ…ボールタップ、Ｗ…水。
【図１】
2004144286.tif 000003
【図２】
2004144286.tif 000004
【図３】
2004144286.tif 000005
【図４】
2004144286.tif 000006
【図５】
2004144286.tif 000007
【図６】
2004144286.tif 000008
【図７】
2004144286.tif 000009
【図８】
2004144286.tif 000010
【図９】
2004144286.tif 000011
【図１０】
2004144286.tif 000012
【図１１】
2004144286.tif 000013
【図１２】
2004144286.tif 000014
【図１３】
2004144286.tif 000015
【図１４】
2004144286.tif 000016
【図１５】
2004144286.tif 000017
【図１６】
2004144286.tif 000018
【図１７】
2004144286.tif 000019
【図１８】
2004144286.tif 000020